(57)【要約】【課題】原料の減量化を図る。【解決手段】上板基部１０の前後方向の寸法が上後左突起部１１および上後右突起部１３よりも小さく形成され、下板基部２１の前後方向の寸法が下後左突起部２２および下後右突起部２３よりも小さく形成され、左板基部２７の前後方向の寸法が左後上突起部２８および左後下突起部２９よりも小さく形成され、右板基部３４の前後方向の寸法が右後上突起部３５および右後下突起部３６よりも小さく形成され、上後左突起部１１と左後上突起部２８とが互いに直交して繋がり、上後右突起部１３と右後上突起部３５とが互いに直交して繋がり、下後左突起部２２と左後下突起部２９とが互いに直交して繋がり、下後右突起部２３と右後下突起部３６とが互いに直交して繋がるように、上板部２と下板部３と左板部４および右板部５が前後方向に貫通する方形開口５３を囲むように互いに接続されている。【選択図】図１
2007195666.tif 000002
【特許請求の範囲】
【請求項１】
上板部が上板基部と上板基部の左端部から後方に突出する上後左突起部と上板基部の右端部から後方に突出する上後右突起部とを備え、上板基部の前後方向の寸法が上後左突起部および上後右突起部よりも小さく形成され、下板部が下板基部と下板基部の左端部から後方に突出する下後左突起部と下板基部の右端部から後方に突出する下後右突起部とを備え、下板基部の前後方向の寸法が下後左突起部および下後右突起部よりも小さく形成され、左板部が左板基部と左板基部の上端部から後方に突出する左後上突起部と左板基部の下端部から後方に突出する左後下突起部とを備え、左板基部の前後方向の寸法が左後上突起部および左後下突起部よりも小さく形成され、右板部が右板基部と右板基部の上端部から後方に突出する右後上突起部と右板基部の下端部から後方に突出する右後下突起部とを備え、右板基部の前後方向の寸法が右後上突起部および右後下突起部よりも小さく形成され、上後左突起部と左後上突起部とが互いに直交して繋がり、上後右突起部と右後上突起部とが互いに直交して繋がり、下後左突起部と左後下突起部とが互いに直交して繋がり、下後右突起部と右後下突起部とが互いに直交して繋がるように、上板部と下板部と左板部および右板部が前後方向に貫通する方形開口を囲むように互いに接続されたことを最も主要な特徴とする遊技機の固定枠。
【発明の詳細な説明】
【技術分野】
【０００１】
本発明は、原料の減量化が容易な遊技機の固定枠に関する。
【背景技術】
【０００２】
遊技機の固定枠には、遊技店の島と呼ばれる遊技機設置構造体に固定するために、アルミニウム合金またはマグネシウム合金などの軽金属を原料とし、前後方向に貫通する方形開口を囲む形状に形成されたものが知られている。このような形状の遊技機枠は、通常、パチンコ遊技機では、外枠、本体枠、固定枠などと呼ばれている。しかしながら、横長な帯状の上板部と横長な帯状の下板部とが互いに相対峙し、縦長な帯状の左板部と縦長な帯状の右板部とが互いに相対峙し、上板部の左端部と左板部の上端部とが互いに直交するように結合され、上板部の右端部と右板部の上端部とが互いに直交するように結合され、左板部の下端部と下板部の左端部とが互いに直交するように結合され、右板部の下端部と下板部の右端部とが互いに直交するように結合された構造であり、上板部の前後幅、下板部の前後幅、左板部の前後幅、右板部の前後幅が、互いに同じ約７ｃｍほどの寸法に構成されている。このため、軽金属を原料としても、重量が嵩み、傷が付き易いという欠点があった。
【特許文献１】特開２００４−１８８０６５号公報
【発明の開示】
【発明が解決しようとする課題】
【０００３】
発明が解決しようとする問題点は、原料の使用量が多いという点である。
【課題を解決するための手段】
【０００４】
本発明に係る遊技機の固定枠は、上板部が上板基部と上板基部の左端部から後方に突出する上後左突起部と上板基部の右端部から後方に突出する上後右突起部とを備え、上板基部の前後方向の寸法が上後左突起部および上後右突起部よりも小さく形成され、下板部が下板基部と下板基部の左端部から後方に突出する下後左突起部と下板基部の右端部から後方に突出する下後右突起部とを備え、下板基部の前後方向の寸法が下後左突起部および下後右突起部よりも小さく形成され、左板部が左板基部と左板基部の上端部から後方に突出する左後上突起部と左板基部の下端部から後方に突出する左後下突起部とを備え、左板基部の前後方向の寸法が左後上突起部および左後下突起部よりも小さく形成され、右板部が右板基部と右板基部の上端部から後方に突出する右後上突起部と右板基部の下端部から後方に突出する右後下突起部とを備え、右板基部の前後方向の寸法が右後上突起部および右後下突起部よりも小さく形成され、上後左突起部と左後上突起部とが互いに直交して繋がり、上後右突起部と右後上突起部とが互いに直交して繋がり、下後左突起部と左後下突起部とが互いに直交して繋がり、下後右突起部と右後下突起部とが互いに直交して繋がるように、上板部と下板部と左板部および右板部が前後方向に貫通する方形開口を囲むように互いに接続されたことを最も主要な特徴とする。
【発明の効果】
【０００５】
本発明に係る遊技機枠は、上板基部の前後方向の寸法が上後左突起部および上後右突起部よりも小さく形成され、下板基部の前後方向の寸法が下後左突起部および下後右突起部よりも小さく形成され、左板基部の前後方向の寸法が左後上突起部および左後下突起部よりも小さく形成され、右板基部の前後方向の寸法が右後上突起部および右後下突起部よりも小さく形成されたことによって、固定枠の全体的な軽量化および原料の減量化が図れるという利点があるうえ、固定枠を建物の床または貨物自動車の荷台または遊技店の島と呼ばれる遊技機設置構造体などの設置部に置いた場合、上後左突起部、上後右突起部、下後左突起部、下後右突起部、左後上突起部、左後下突起部、右後上突起部、右後下突起部のうちの複数個が、設置部の上に搭載されるので、固定枠が設置部の上に安定した状態で搭載されるという利点がある。
【発明を実施するための最良の形態】
【０００６】
図１乃至図３は、発明を実施するための最良の形態である。図１のａ図は、固定枠１と化粧構造体７とを分解して前側から示す。図１のｂ図は、固定枠１を後側から示す。図２は、遊技機枠６１を分解して前側から示す。図３は、遊技機枠を前側から示す。本明細書において、「前」、「表」、「後」、「裏」、「左」、「右」、「上」、「下」の方向は、図２の状態に遊技機枠６１を置いて矢印Ｓで示す前側から見た場合に特定される方向である。「前」と「表」とは、同じ方向である。「後」と「裏」とは、同じ方向である。
【０００７】
図１を参照し、固定枠１の構造について説明する。図１のａ図において、固定枠１は、上板部２、下板部３、左板部４、右板部５、幕板部６、化粧構造体７を備える。上板部２は、上板基部１０、上後左突起部１１、上前左突起部１２、上後右突起部１３、上前右突起部１４、取付孔１５、ヒンジ孔１６、リブ１７、検出取付部１８、図外の上不正防止部を備える。上板基部１０は、左右方向に長い帯板状として構成され、帯板状の板面を上下方向に向け、帯板状の端面を前後方向に向ける。上後左突起部１１は、上板部２の左端部から後側に突出する板状として、上板部２の左端部に設けられる。上前左突起部１２は、上板基部１０の左端部から前側に突出する板状として、上板基部１０の左端部に設けられる。上後右突起部１３は、上板基部１０の右端部から後側に突出する板状として、上板基部１０の右端部に設けられる。上前右突起部１４は、上板基部１０の右端部から前側に突出する板状として、上板基部１０の右端部に設けられる。取付孔１５は、固定枠１を遊技機設置構造体に取付けるための孔であって、上下方向への貫通孔として、上板基部１０と上後左突起部１１および上後右突起部１３に設けられる。ヒンジ孔１６は、上下方向への貫通孔として、上前左突起部１２に設けられる。リブ１７は、上板基部１０と上後左突起部１１と上前左突起部１２と上後右突起部１３および上前右突起部１４にわたり、上板部２の外周縁を縁取るように、上板部２の外周縁から上方への突条として、上板部２に設けられる。検出取付部１８は、上板基部１０の右側に、上板基部１０の方形開口５３の側に位置する下面から上方に窪む溝として、上板基部１０に設けられる。検出取付部１８は、方形開口５３の側および前側に開口する。図外の上不正防止部は、上板基部１０と上後左突起部１１および上後右突起部１３にわたり、上板部２の方形開口５３の側に位置する内面から方形開口５３の側に突出する板状として、上板部２の内面に設けられ、左不正防止部３０および右不正防止部３７に繋がる。
【０００８】
図１のｂ図において、下板部３は、下板基部２１、下後左突起部２２、下後右突起部２３、取付孔２４、図外のリブを備える。下板基部２１は、左右方向に長い帯板状として構成され、帯板状の板面を上下方向に向け、帯板状の端面を前後方向に向ける。下後左突起部２２は、下板基部２１の左端部から後側に突出する板状として、下板基部２１の左端部に設けられる。下後右突起部２３は、下板基部２１の右端部から後側に突出する板状として、下板基部２１の右端部に設けられる。取付孔２４は、固定枠１を遊技機設置構造体に取付けるための孔であって、上下方向への貫通孔として、下板基部２１と下後左突起部２２および下後右突起部２３に設けられる。上記リブは、下板基部２１と下後左突起部２２および下後右突起部２３にわたり、下板部３の外周縁を縁取るように、下板部３の外周縁から下方への突条として、下板部３に設けられる。
【０００９】
図１のａ図において、左板部４は、左板基部２７、左後上突起部２８、左後下突起部２９、左不正防止部３０、リブ３１を備える。左板基部２７は、上下方向に長い帯板状として構成され、帯板状の板面を左右方向に向け、帯板状の端面を前後方向に向ける。左後上突起部２８は、左板基部２７の上端部から後側に突出する板状として、左板基部２７の上端部に設けられる。左後下突起部２９は、左板基部２７の下端部から後側に突出する板状として、左板基部２７の下端部に設けられる。左不正防止部３０は、左板基部２７と左後上突起部２８および左後下突起部２９にわたり、左板部４の方形開口５３の側に位置する内面から方形開口５３の側に突出する板状として、左板部４の内面に設けられる。リブ３１は、左板基部２７と左後上突起部２８および左後下突起部２９にわたり、左板部４の外周縁を縁取るように、左板部４の外周縁から左方への突条として、左板部４に設けられる。
【００１０】
図１のｂ図において、右板部５は、右板基部３４、右後上突起部３５、右後下突起部３６、右不正防止部３７、掛止部３８、図外のリブを備える。右板基部３４は、上下方向に長い帯板状として構成され、帯板状の板面を左右方向に向け、帯板状の端面を前後方向に向ける。右後上突起部３５は、右板基部３４の上端部から後側に突出する板状として、右板基部３４の上端部に設けられる。右後下突起部３６は、右板基部３４の下端部から後側に突出する板状として、右板基部３４の下端部に設けられる。右不正防止部３７は、右板基部３４と右後上突起部３５および右後下突起部３６にわたり、右板部５の方形開口５３の側に位置する内面から方形開口５３の側に突出する板状として、右板部５の内面に設けられる。掛止部３８は、右後上突起部３５および右後下突起部３６の間において上下に分かれ、右板基部３４の後縁部から左側に突出する突起として、右板基部３４の後縁部に設けられる。上記リブは、右板基部３４と右後上突起部３５および右後下突起部３６にわたり、右板部５の外周縁を縁取るように、右板部５の外周縁から右方への突条として、右板部５に設けられる。
【００１１】
図１のａ図において、幕板部６は、幕板基部４１、下前左突起部４２、下前右突起部４３、上補強部４４、下補強部４５、下不正防止部４６、逃避部４７、除去部４８、化粧取付部４９、ヒンジピン５０を備える。幕板基部４１は、左右方向に長い帯板状として構成され、帯板状の板面を前後方向に向け、帯板状の端面を上下方向に向ける。下前左突起部４２は、幕板基部４１の左端部から前側に突出する半筒状として、幕板基部４１の左端部に設けられる。下前左突起部４２は、幕板基部４１の裏面から前側に突出する弧状周壁と、弧状周壁で囲まれた上部開口を塞ぐ上壁と、弧状周壁で囲まれた下部開口を塞ぐ下壁とによって構成される。下前右突起部４３は、幕板基部４１の右端部から前側に突出する半筒状として、幕板基部４１の右端部に設けられる。下前右突起部４３は、幕板基部４１の裏面から前側に突出する弧状周壁と、弧状周壁で囲まれた上部開口を塞ぐ上壁と、弧状周壁で囲まれた下部開口を塞ぐ下壁とによって構成される。上補強部４４は、幕板基部４１の上端部から前側に突出する板状として、下前左突起部４２および下前右突起部４３に繋がり、幕板基部４１の上端部に設けられ、下補強部４５は、幕板基部４１の下端部から前側に突出する板状として、下前左突起部４２および下前右突起部４３に繋がり、幕板基部４１の下端部に設けられる。下不正防止部４６は、上補強部４４の後縁部から上方に突出し、左不正防止部３０および右不正防止部３７に繋がる。逃避部４７は、幕板基部４１の左端部から後側に突出する板状として、幕板基部４１の左端部に設けられる。除去部４８は、前後方向への貫通孔として、幕板基部４１の中央部に設けられる。化粧取付部４９は、下前左突起部４２の右隣および下前右突起部４３の左隣となるように、前後方向への貫通孔として、幕板基部４１に設けられる。ヒンジピン５０は、下前左突起部４２の上壁から上方に突出する丸棒として、下前左突起部４２の上壁に設けられる。
【００１２】
図１のａ図およびｂ図において、上後左突起部１１と左後上突起部２８とが互いに直交して繋がり、上後右突起部１３と右後上突起部３５とが互いに直交して繋がり、下後左突起部２２と左後下突起部２９とが互いに直交して繋がり、下後右突起部２３と右後下突起部３６とが互いに直交して繋がるように、上板部２と下板部３と左板部４および右板部５が前後方向に貫通する方形開口５３を囲むように互いに接続され、下前左突起部４２と左後下突起部２９とが互いに繋がり、下前右突起部４３と右後下突起部３６とが互いに繋がるように、幕板部６が方形開口５３の下部前側を塞ぐように下板部３と左板部４および右板部５に接続され、固定枠１が単一体として構成される。このように単一体として構成された固定枠１においては、上板部２および下板部３が互いに平行となるように上下方向で相対峙し、左板部４および右板部５が互いに平行となるように左右方向で相対峙し、方形開口５３の前部には、図外の上不正防止部、左不正防止部３０、右不正防止部３７、下不正防止部４６からなる不正防止が設けられる。
【００１３】
図１のａ図において、化粧構造体７は、化粧基部５６および係留突起５７を備える。化粧基部５６は、左右方向に長い帯板状として構成され、帯板状の板面を前後方向に向け、帯板状の端面を上下方向に向ける。係留突起５７は、左右に分かれて化粧基部５６に設けられ、化粧基部５６の裏面から裏側に突出する弾性片５８と、弾性片の後端部から横方向に突出した鉤部５９とにより構成される。そして、係留突起５７が固定枠１の前側から化粧取付部４９に挿入され、鉤部５９が幕板基部４１よりも後側に突出して幕板基部４１の裏面と対向して掛け止められることによって、化粧基部５６が幕板基部４１の前面を覆い隠し、幕板部６に取り付けられる。
【００１４】
図２を参照し、固定枠１を用いた遊技機枠６１の構造について説明する。遊技機枠６１は、パチンコ遊技機またはスロットマシンなどの遊技機に使用可能な形態であって、固定枠１の前側に可動枠６２を開閉可能に備え、可動枠６２の前側に前扉６３および皿構造体６４を開閉可能に備える。固定枠１は、遊技機設置構造体に取り付けるための外枠とも呼ばれる。固定枠１の検出取付部１８には、開閉検出器６０が取り付けられる。開閉検出器６０は、可動枠６２が開放された場合に、開放検出信号を可動枠６２または図外の遊技盤に設けられた図外の制御装置に出力することによって、可動枠６２が不正に開放されたか否かを上記制御装置が判断するために、使用される検出器である。可動枠６２は、遊技盤や球払出機構および制御装置など遊技に必要な部品を取り付ける前枠とも呼ばれ、上ヒンジ６５および下ヒンジ６６を備える。上ヒンジ６５は、可動枠６２の左上部から前側に突出した上ヒンジブラケット６７の前部から上方に突出した丸棒として、上ヒンジブラケット６７の前部に設けられる。下ヒンジ６６は、上下方向への貫通孔として、可動枠６２の左下部から前側に突出した下ヒンジブラケット６８の前部に設けられる。前扉６３および皿構造体６４は、個別に、左側に位置するヒンジ６９を中心とし、可動枠６２の前側で前側に開かれかつ後側に閉じられるように、片開き可能である。前扉６３は、パネル枠とも呼ばれ、前後方向に貫通する窓７０を囲む額縁形状である。前扉６３の裏面には、透視性パネル７１が設けられる。透視性パネル７１は、無色なガラスまたは無色な合成樹脂のような材料によって構成され、窓７０を覆う格好で、前扉６３に装着される。皿構造体６４は、球受皿部７２および球発射操作機構７３を、皿構造体６４の前面から前側に突出した形態に備える。球受皿部７２は、遊技に使用する球を受ける上側に開口した上側から下側に窪む容器である。球発射操作機構７３は、遊技者が球を発射するために操作するものである。
【００１５】
そして、可動枠６２の裏側が固定枠１の前側に向けられ、上ヒンジブラケット６７および下ヒンジブラケット６８が上前左突起部１２および下前左突起部４２との間に挿入されて、上ヒンジ６５がヒンジ孔１６の下方からヒンジ孔１６に嵌め込まれた後、可動枠６２が下降されるのに伴い、下ヒンジ６６がヒンジピン５０の上方からヒンジピン５０に嵌め込まれる。これによって、可動枠６２は、ヒンジ孔１６とヒンジピン５０と上ヒンジ６５および下ヒンジ６６とからなる左側に位置するヒンジを中心とし、固定枠１の前側で前側に開かれかつ後側に閉じられるように、片開き可能となって、図３に示すように、固定枠１の前側に開閉可能に取り付けられる。このように、ヒンジピン５０が下前左突起部４２に立設された状態で固定されたまま、下ヒンジ６６がヒンジピン５０に嵌め込まれるように、上ヒンジブラケット６７の上面から下ヒンジブラケット６８の下面までの間隔が、上前左突起部１２および下前左突起部４２の間の対向間隔よりも小さく設定されれば、ヒンジピン５０ががたつくことなく、可動枠６２が固定枠１に適切に取付けられる。
【００１６】
図３を参照し、可動枠６２と前扉６３および皿構造体６４の開閉動作について説明する。可動枠６２が閉じられて固定枠１に可動枠６２に設けられた図外のロック機構で開閉不能に支持され、前扉６３および皿構造体６４が閉じられて可動枠６２に前扉６３および皿構造体６４に設けられた図外のロック機構で開閉不能に支持された状態において、遊技店の店員が図外のキープレート（鍵）を遊技機枠６１の前側から可動枠６２の右側部に設けられた施錠装置７４の鍵穴に挿入し、当該キープレートを例えば右側に９０度回転操作すると、固定枠１と可動枠６２とのロック機構による支持形態が解除される。この支持形態の解除後に、店員が可動枠６２を前側に引くことによって、可動枠６２はヒンジ孔１６とヒンジピン５０と上ヒンジ６５および下ヒンジ６６とからなるヒンジを中心として前側に片開きされる。また、上記施錠装置７４の鍵穴に挿入されたキープレートが例えば左側に９０度回転操作されると、可動枠６２と前扉６３とのロック機構による支持形態が解除される。この支持形態の解除後に、店員が前扉６３を前側に引くことによって、前扉６３はヒンジ６９を中心として前側に片開きされる。このように、前扉６３が前側に開かれた状態において、店員が可動枠６２の右側部に設けられた図外のロック解除操作体を操作すると、可動枠６２と皿構造体６４とのロック機構による支持形態が解除される。この支持形態の解除後に、店員が皿構造体６４を前側に引くことによって、皿構造体６４はヒンジ６９を中心として前側に片開きされる。
【００１７】
最良の形態によれば、図１に示すように、上板基部１０の前後方向の寸法が上後左突起部１１および上後右突起部１３よりも小さく、下板基部２１の前後方向の寸法が下後左突起部２２および下後右突起部２３よりも小さく、左板基部２７の前後方向の寸法が左後上突起部２８および左後下突起部２９よりも小さく、右板基部３４の前後方向の寸法が右後上突起部３５および右後下突起部３６よりも小さくなっているので、上板部２と下板部３と左板部４および右板部５が前後方向に貫通する方形開口５３を囲むように互いに接続された場合でも、上板部２と下板部３と左板部４および右板部５の結合強度が高く、固定枠１の全体的な軽量化および原料の減量化が図れるという利点がある。
【００１８】
上後左突起部１１と左後上突起部２８とが互いに直交して繋がり、上後右突起部１３と右後上突起部３５とが互いに直交して繋がり、下後左突起部２２と左後下突起部２９とが互いに直交して繋がり、下後右突起部２３と右後下突起部３６とが互いに直交して繋がるように、上板部２と下板部３と左板部４および右板部５が前後方向に貫通する方形開口５３を囲むように互いに接続されている。このため、単一体として構成された固定枠１を建物の床または貨物自動車の荷台または遊技店の島と呼ばれる遊技機設置構造体などの設置部に置いた場合、上後左突起部１１、上後右突起部１３、下後左突起部２２、下後右突起部２３、左後上突起部２８、左後下突起部２９、右後上突起部３５、右後下突起部３６のうちの複数個が、設置部の上に搭載される。
【００１９】
つまり、固定枠１の上板部２が設置部の上に搭載された場合、上板基部１０よりも前後方向の寸法が大きな上後左突起部１１および上後右突起部１３が設置部の上に搭載される。固定枠１の下板部３が設置部の上に搭載された場合、下板基部２１よりも前後方向の寸法が大きな下後左突起部２２および下後右突起部２３が設置部の上に搭載される。固定枠１の左板部４が設置部の上に搭載された場合、左板基部２７よりも前後方向の寸法が大きな左後上突起部２８および左後下突起部２９が設置部の上に搭載される。固定枠１の右板部５が設置部の上に搭載された場合、右板基部３４よりも前後方向の寸法が大きな右後上突起部３５および右後下突起部３６が設置部の上に搭載される。よって、固定枠１が設置部の上に安定した状態で搭載されるという利点がある。また、上板部２には上前左突起部１２および上前右突起部１４が設けられ、幕板部６には下前左突起部４２および下前右突起部４３が設けられているので、固定枠１の上板部２が設置部の上に搭載された場合、または、固定枠１の下板部３が設置部の上に搭載された場合、固定枠１が設置部の上に一層安定した状態で搭載されるという利点がある。
【００２０】
上板部２にはリブ１７が設けられ、下板部３には図外のリブが設けられ、左板部４にはリブ３１が設けられ、右板部５には図外のリブが設けられているので、固定枠１の全体的な軽量化と原料の減量化および強度向上が図れるという利点があるうえ、固定枠１が軽金属を原料として単一体に構成されて設置部の上に搭載されたまま動かされた場合でも、固定枠１におけるリブ１７；３１や上記図外のリブを除いた外面が設置部の上に接触していないので、固定枠１におけるリブ１７；３１や上記図外のリブを除いた外面に擦過傷のような損傷が付かないという利点がある。上板部２では、ヒンジ孔１６が上前左突起部１２に設けられ、ヒンジピン５０が下前左突起部４２に設けられ、上前左突起部１２および下前左突起部４２が上下部の塞がれた後側から前側に窪む半筒状に形成されているので、固定枠１の可動枠６２（図３参照）を支持する部分の強度が高くなるという利点があるうえ、固定枠１の全体的な軽量化と原料の減量化とが図れるという利点がある。上板部２には図外の上不正防止部が設けられ、左板部４には左不正防止部３０が設けられ、右板部５には右不正防止部３７が設けられ、幕板部６には下不正防止部４６が設けられているので、固定枠１に対し可動枠６２（図３参照）が閉じられた場合、遊技機枠６１（図３参照）の前側から、遊技者が不正を行うための不正操作部材を固定枠１と可動枠６２との合わせ部分から内部に挿入できないようにすることができるという利点がある。幕板部６には除去部４８が設けられているので、固定枠１の全体的な軽量化および原料の減量化が図れるという利点がある。幕板部６には、上補強部４４および下補強部４５が設けられているので、固定枠１の全体的な軽量化および原料の減量化が図れるという利点がある。
【産業上の利用可能性】
【００２１】
上板部２、下板部３、左板部４、右板部５にリブ１７；３１や図外のリブを設けなくてもよい。幕板部６に除去部４８を設けなくてもよい。上ヒンジ６５が上ヒンジブラケット６７にスプリングで上方に付勢されて上下動可能に設けられ、上ヒンジ６５がスプリングのばね力に抗して下方に押し下げられることによって、可動枠６２が固定枠１から取り外されるようにすれば、上ヒンジブラケット６７の上面と下ヒンジブラケット６８の下面との間の間隔が上前左突起部１２の下面と下前左突起部４２の上面との間の間隔に近づけることができる。下前左突起部４２の上壁には、ヒンジピン５０に代えて、上下方向への貫通孔としてのヒンジ孔を設けてもよい。この場合、下ヒンジ６６は、下ヒンジブラケット６８の下面から下方に突出するヒンジピンに構成する必要はある。
【図面の簡単な説明】
【００２２】
【図１】ａ図は固定枠と化粧構造体との前側からの分解斜視図、ｂ図は固定枠の後側からの斜視図（最良の形態）。
【図２】遊技機枠の前側からの分解斜視図（最良の形態）。
【図３】遊技機枠の前側からの斜視図（最良の形態）。
【符号の説明】
【００２３】
１  固定枠、２  上板部、３  下板部、４  左板部、５  右板部、１０  上板基部、
１１  上後左突起部、１３  上後右突起部、２１  下板基部、２２  下後左突起部、
２３  下後右突起部、２７  左板基部、２８  左後上突起部、２９  左後下突起部、
３４  右板基部、３５  右後上突起部、３６  右後下突起部。
【図１】
2007195666.tif 000003
【図２】
2007195666.tif 000004
【図３】
2007195666.tif 000005